(57)【特許請求の範囲】
【請求項１】
叩き棒の貫挿孔を有する叩き棒挿入ガイドピンの外周面に座を螺合し、該螺合量により座の上下の位置を調整する構成を有し、更に叩き棒挿入ガイドピンの下端に設けた雄ネジ外周面にアンカーナット上端の雌ネジ筒を螺合締結し、該締結した状態でアンカーナットを下穴内へ挿入し、該挿入により上記座の座面を下穴開口面に座着せしめてアンカーナットの挿入深さを設定し、上記貫挿孔に貫挿した叩き棒を叩くことにより上記アンカーナットに内填せるくさび体を押し込んでアンカーナットの割筒部を拡開し、壁の下穴の内壁面に喰いつかせ固定させる構成としたことを特徴とするアンカーナット固定工具である。
【発明の詳細な説明】
【０００１】
【産業上の利用分野】
本発明は、土木、建設等において荷重支持のアンカーナットを固定するときに使用するアンカーナット固定工具に関する。
【０００２】
【従来の技術】
従来からあるアンカーナットの施工状態を図１、図２、図３、で説明する。
【０００３】
図１に示す従来からあるアンカーナットは、筒部１の一端開口縁部にフレアー加工を施したテーパー形拡口縁部２を有し、筒部１の内周面に雌ネジ３を形成し、他端側は割筒部４になっており、割筒部４の内周面にはテーパーを形成し、くさび体５をこの筒部１内に装填している。
【０００４】
図２に示すようにアンカーナットは壁６にあらかじめ穿設した下穴７に挿入し、テーパー形拡口縁部２のテーパー面を下穴７の開口部の角縁部に係止させ、それから叩き棒８を筒部１の中に挿入し、くさび体５の上部端面を叩くことによって割筒部４のテーパー面を介して該割筒部４を拡開させ下穴７の内壁に喰いつかせようとするものだが、壁６が軟質のものである場合くさび体５を叩くと、下穴７の開口部の角縁部の係止力が弱く割筒部４が拡開する前にテーパー形拡口縁部２が下穴７の開口部の角縁部を削りながら潜り込んでしまい、下穴７の底部９まで押し込まれてから割筒部４が拡開して喰いつかせる。
【０００５】
図３に示すテーパー形拡口縁部を有しないアンカーナットも従来からありアンカーナットの一端筒部１１の内周面に雌ネジ１２を形成し、他端側は割筒部１３になっており、割筒部１３の内周面にはテーパーを形成し、くさび体５をこの筒部１１内に装填している。
【０００６】
図３に示すようにアンカーナットを壁６に穿設した下穴７に挿入し、アンカーナットの割筒部の端面１４を下穴の底に当接させ、叩き棒８をアンカーナット内に挿入しくさび体５を叩き、該くさび体５が進むことにより割筒部１３を拡開せしめ下穴７の内壁に喰いつかせ固定させるものである。
【０００７】
【発明が解決しようとする課題】
図２に示すように従来のテーパー形拡口縁部２を有するアンカーナットは固定後、テーパー形拡口縁部２が有るため、テーパー形拡口縁部２の厚さａだけ壁６の表面１５より突出してしまう問題を有している。
【０００８】
また壁６が軟質の場合、テーパー形拡口縁部２が下穴７の開口部の角縁部を削りながら、アンカーナットの割筒部４が拡開しない状態で壁の表面１５より潜り込んでしまう。
【０００９】
また、この潜り込みを防止せんとしてテーパー形拡口縁部２の径ｂを十分大きくすると、壁の表面１５から突出する部分が更に大きくなってしまう。
【００１０】
したがって壁６が軟質の場合は、上記潜り込みの問題を解消するにはアンカーナットの長さｄと穿設する下穴の深さｅを同じにしてアンカーナットの割筒部端面を下穴の底９に当接させなければならないが、実際には下穴７の深さｅを精度良く穿設することは困難でありアンカーナットの挿入深さにばらつきが生ずる。
【００１１】
図３に示すテーパー形拡口縁部を有しないアンカーナットの筒部端面１０を壁の表面１５と同一面に固定させる場合は、壁が硬質の場合でも穿設する下穴の深さをアンカーナットの長さと同じにして割筒部端面を穴の底で当接させなければならないが、上記と同様に実際には下穴の深さを精度良く穿設することは困難でアンカーナットの挿入深さのばらつきを回避しがたい。
【００１２】
また、メジャーを下穴に差し込んで該下穴の深さを計測するため、穿設した下穴に削った破片が残っていることに気がつかずにアンカーナットの長さと同じと判断することがある。そしてそのまま叩き棒８でアンカーナットのくさび体５を叩いた場合、アンカーナットの割筒部の下にある削り残った破片が砕かれ，アンカーナットが潜ってしまうことがあった。その時割筒部が拡開してしまっていたら穴から取り出すことはできず、やり直しは不可能である。
【００１３】
したがって穿設した下穴７には、削り破片を残してはならないが，吸引機で削り破片を吸い込むにも下穴の径ｃが小さいため、吸引機のノズルが下穴７に入らず完全に除去することは困難である。
【００１４】
また、下穴７を深く掘りすぎてしまった場合は下穴７の底に硬質のものを充填し、下穴７をアンカーナットの長さｄと同一の深さに調整しなければならない。
【００１５】
また、アンカーナットを叩き棒８で叩くとき棒を斜めに持って叩いた場合アンカーナットも斜めに固定してしまいアンカーナットの芯がずれてしまことがあり、この場合も穴から抜くことができずやり直しは不可能である。
【００１６】
【課題を解決するための手段】
本発明は、上記の問題点を解決するアンカーナット固定工具を提供する。図４の上段に示す本アンカーナット固定工具は、叩き棒の貫挿孔を有する叩き棒挿入ガイドピンの外周面に座を螺合し、該螺合量により座の上下の位置を調整する構成を有し、更に叩き棒挿入ガイドピンの下端に設けた雄ネジ外周面にアンカーナット上端の雌ネジ筒を螺合締結し、該締結した状態でアンカーナットを下穴内へ挿入し、該挿入により上記座の座面を下穴開口面に座着せしめてアンカーナットの挿入深さを設定し、上記貫挿孔に貫挿した叩き棒を叩くことにより上記アンカーナットに内填せるくさび体を押し込んでアンカーナットの割筒部を拡開し、壁の下穴の内壁面に喰いつかせ固定させるものである。
【００１７】
本発明のアンカーナット固定工具によれば、テーパー形拡口縁部を有しない図３に示すアンカーナットを用い、アンカーナットの雌ネジと本工具の雄ネジとを螺合締結することにより一体にし下穴内へ挿入する。そのことにより本工具の座面が下穴開口面に係止するので、座によりアンカーナットの挿入深さを適正に設定し、穴を深く掘りすぎた場合でもアンカーナットが潜り込んでしまうことは無い。
【００１８】
アンカーナットを本工具の叩き棒挿入ガイドピンに螺合支持した状態で、叩き棒を叩くと、該叩き棒による叩き圧力がアンカーナットに内填しているくさび体を介してアンカーナットにかかり、その叩き圧力負荷は該ガイドピンにかかり、さらに該ガイドピンの外周面に螺合している座に伝わり、その負荷を下穴開口表面で受けるので、下穴内への潜入が有効に防止できる。
【００１９】
また、取り付け対象物の厚さ、アンカーナットの挿入深さに応じ、座の上下の位置を螺合量により調整することで、アンカーナットを適正な深さに固定できる。
【００２０】
【発明実施の形態】
本発明の実施の形態を、図４、図５、図６、図７、図８に基づいて説明する。図４の上段に示す図は本発明のアンカーナット固定工具の全体の断面図である。
【００２１】
図４の上段に示す本発明のアンカーナット固定工具は、細長い叩き棒挿入ガイドピン１６を本体とし、該ガイドピン１６の軸芯上に貫設せる叩き棒の貫挿孔１７を有する。
【００２２】
また、該叩き棒挿入ガイドピン１６の外周面に座１８を螺合し、該螺合量により座１８の上下の位置を調整する構成を有し、更に叩き棒挿入ガイドピン１６の下端に設けた雄ネジ１９は図４の中段に示すテーパー形拡口縁部を有しないアンカーナットの雌ネジ１２と螺合し、また上記貫挿孔１７に貫挿する叩き棒２０を有するものである。
【００２３】
図４の中段に示すものは従来からあるテーパー形拡口縁部を有しないアンカーナットであり、該アンカーナットの一端側筒部１１の内周面に雌ネジ１２を形成し、他端側は割筒部１３になっており、割筒部１３の内周面にはテーパーを形成し、くさび体５をこの筒部１１内に装填しており、くさび体５が叩かれ進むことにより割筒部１３を拡開せしめ下穴内壁に喰いつかせ固定させるものである。
【００２４】
図４の下段に示すものは下穴７を穿設した壁６の上に下穴７に対応する下穴２２を穿設した取り付け対象物２３を重ねた状態を示す断面図である。本発明はこの対象物が存在しない場合も含む。
【００２５】
上記座１８は円形または正多角形またはＩ形、十字形等を呈し、その中心部の軸線上に貫設した雌ネジ穴２５を有し、他方上記ガイドピン１６の外周面に雄ネジ２６を形成し、上記座１８の雌ネジ穴２５にガイドピン１６を貫挿しつつ、雌ネジ穴２５の内周面の雌ネジと、上記ガイドピン１６の外周面の雄ネジ２６を螺合し、螺進または螺退して座１８の上下の位置を調整し、上記アンカーナットは叩き棒挿入ガイドピン１６の下端に同軸線に垂設する。
【００２６】
また、上記ガイドピン１６の下端に雄ネジ２６形成部より小径にしたアンカーナット螺合軸部２７を、同一軸線上に連設しこのアンカーナット螺合軸郡２７の上端に段部２８を形成する。
【００２７】
叩き棒貫挿孔１７は上記アンカーナット螺合軸部２７を貫通している。
【００２８】
まず図４の下段に示す、下穴２２を穿設した取り付け対象物２３が壁６の表面に既に置かれている場合、ドリル等を該下穴２２に通し、壁６にアンカーナットの長さｆより十分深く壁に下穴７を掘り、必要に応じ該壁下穴７の中に残った削り破片を除去する。
【００２９】
次に図４の上段と中段に示す、本工具の叩き棒挿入ガイドピン１６の下端に雄ネジ形成部より小径にしたアンカーナット螺合軸部２７の雄ネジ１９にテーパー形拡口縁部を有しないアンカーナット筒部端面１０を段部２８に当接するまで螺合締結する。
【００３０】
而して、図５に示す該アンカーナットの筒部端面１０と叩き棒挿入ガイドピン１６の外周に螺合した座の座面２１との距離ｇを、図４の下段に示す取り付け対象物の厚さｈに応じて座１８の螺合量で調整設定する。
【００３１】
次に、図６に示すように上記アンカーナットを取り付け対象物２３の下穴２２と同芯に連通せる壁下穴７に挿入して、本工具の座面２１を下穴開口表面２４に座着せしめる。
【００３２】
そして、図７に示すように、ガイドピン１６の貫通孔１７に貫挿した叩き棒２０を矢印方向２８に叩く。
【００３３】
それにより、図７に示すようにアンカーナットの中のくさび体５が叩き棒２０により押し込まれアンカーナットの割筒部１３を拡開し、壁の下穴７の内壁に割筒部１３が喰いつき固定する。
【００３４】
固定した後、図８に示すように本発明のアンカーナット固定工具の雄ネジ１９とアンカーナットの雌ネジ１２の締結を解除分離した後は、取り付け対象物２３が壁６に所定の位置に置かれたままの状態となる。
【００３５】
【発明の効果】
本発明のアンカーナット固定工具によれば、座の螺合量を調整することによりアンカーナットの下穴内への挿入深さを適正に設定できる。また本工具の座の座面が取り付け対象物または、壁の下穴開口面に当接するので、下穴を深く掘りすぎた場合でも、アンカーナットの挿入深さを適正に設定できる。
【００３６】
また、座の表面を下穴開口面に座着したうえで叩き棒を叩くので、アンカーナットの筒部の端面が壁の表面から突出することなく壁の表面とアンカーナットの筒部端面とを適正な深さで固定できる。
【００３７】
また本工具のガイドピンとアンカーナットを螺合して、穿設した下穴に挿入し本工具の座の座面を下穴開口面に座着することで、アンカーナット単体で打ち込むときに起こりうる斜めに打ち込むことが無くなり、壁の表面に対し垂直に打ち込め、アンカーナットの芯がずれてしまう問題を防止できる。
【００３８】
アンカーナットの筒部端面を下穴開口面と同一面で固定でき、取り付け対象物の撤去後の安全性と景観にも良い。
【図面の簡単な説明】
【図１】従来から使用されているテーパー形拡口縁部２を有しているアンカーナットの断面図である。
【図２】叩き棒８を上記アンカーナットの筒部１の中に挿入し、くさび体５の端面を叩くことによって割筒部４のテーパー面を介して該割筒部４を拡開させ下穴の内壁に喰いつかせ、固定した状態を示した断面図である。
【図３】従来から使用されているテーパー形拡口縁部を有していないアンカーナットを壁の穿設穴７に挿入し、叩き棒８をアンカーナット内に挿入した状態を示す断面図である。
【図４】上段に本発明のアンカーナット固定工具、中段に従来からある、テーパー形拡口縁部を有していないアンカーナット、下段に穿設された取り付け対象物２３と壁６が重ねられた状態を示す断面図である。
【図５】本発明の調整アンカーナット固定工具にテーパー形拡口縁部を有していないアンカーナットを締結した状態を示す断面図である
【図６】本発明のアンカーナット固定工具にテーパー形拡口縁部を有していないアンカーナットを螺合締結し、取り付け対象物２３と壁の下穴２２、７に挿入し、座の座面２１を取り付け対象物の開口面２４に当接した状態を示す断面図である。
【図７】図６の状態から叩き棒２０を叩き、くさび体５を押し、割筒部１３を拡開し下穴７の内壁面に喰いつかせ固定した状態を示す断面図である。
【図８】アンカーナット固定工具の雄ネジ１９をアンカーナットの雌ネジ１２から締結解除し、本工具を分離撤去した状態を示す断面図である。
【符号の説明】
１−テーパー形拡口縁部を有するアンカーナットの筒部
２−テーパー形拡口縁部
３−テーパー形拡口縁部を有するアンカーナットの内周面に螺設した雌ネジ
４−テーパー形拡口縁部を有するアンカーナットの内周面にテーパーを形成した割筒部
５−筒部内に装填しているくさび体
６−アンカーナットを固定する壁
７−壁に穿設した下穴
８−筒部内に装填しているくさび体を押し進めるための叩き棒
９−壁に穿設した下穴の底部
１０−テーパー形拡口縁部を有しないアンカーナットの筒部端面
１１−テーパー形拡口縁部を有しないアンカーナットの筒部
１２−テーパー形拡口縁部を有しないアンカーナットの雌ネジ
１３−テーパー形拡口縁部を有しないアンカーナットの内周面にテーパーを形成した割筒部
１４−テーパー形拡口縁部を有しないアンカーナットの割筒部の端面
１５−壁の表面
１６−本工具の叩き棒挿入ガイドピン
１７−本工具の叩き棒挿入ガイドピンを貫通する貫挿孔
１８−本工具の座
１９−アンカーナットの雌ネジに螺合する本工具の叩き棒挿入ガイドピンの下端部に螺設した雄ネジ
２０−本工具の叩き棒挿入ガイドピンに貫挿する叩き棒
２１−本工具の座の座面
２２−取り付け対象物の下穴
２３−取り付け対象物
２４−取り付け対象物の下穴開口表面
２５−座の中心部の軸線上に貫設した雌ネジ穴
２６−本工具の叩き棒挿入ガイドピンの外周に螺設した雄ネジ
２７−本工具の叩き棒挿入ガイドピンの下端に設けたアンカーナット螺合軸部
２８−本工具の叩き棒挿入ガイドピンの下端に設けたアンカーナット螺合軸部の上端の段部。
２９−本工具の叩き棒の叩き方向
ａ−テーパー形拡口縁部を有するアンカーナットのテーパー形拡口縁部の厚さ
ｂ−テーパー形拡口縁部を有するアンカーナットのテーパー形拡口縁部の外径
ｃ−壁に穿設した下穴の直径
ｄ−テーパー形拡口縁部を有するアンカーナットの筒部の端面から割筒部の端面までの全長
ｅ−壁に穿設した下穴の深さ
ｆ−テーパー形拡口縁部を有しないアンカーナットの全長
ｇ−本工具の叩き棒挿入ガイドピンと螺合一体にしたテーパー形拡口縁部を有しないアンカーナットの筒部端面と座面との間の長さ
ｈ−取り付け対象物の厚さ
【図１】
0003668944.tif 000002
【図２】
0003668944.tif 000003
【図３】
0003668944.tif 000004
【図４】
0003668944.tif 000005
【図５】
0003668944.tif 000006
【図６】
0003668944.tif 000007
【図７】
0003668944.tif 000008
【図８】
0003668944.tif 000009